(57)【要約】【課題】優れた払拭効果を有しており、使用しない場合、ハンドモップの把手を折り曲げることができ、販売時や使用時における収納に便利で、占拠する空間を減少させることができるハンドモップを提供する。【解決手段】モップ本体１と、把持柄１２と、フォーク形取付け部１９とから構成する。前記モップ本体１は、把手挿入層２と、複数の繊維糸条８と、払拭底層９とから構成する。  前記把持柄１２と、フォーク形取付け部１９とによって把手２６を形成し、前記把持柄１２と、フォーク形取付け部１９とによって形成されている把手２６は、使用しない場合、折り曲げることができ、販売時や使用時における収納に便利で、占拠する空間を減少させるという目的を達成することができる。【選択図】  図９ 
2005161051.tif 000002
【特許請求の範囲】
【請求項１】
モップ本体と、把持柄と、フォーク形取付け部とからなる、各種物品の埃の除去に適用するハンドモップにおいて、
前記モップ本体は、把手挿入層と、複数の繊維糸条と、払拭底層とからなり、
前記把手挿入層は、二層の不織布材料を重ね合わせて構成されており、溶接によって固定されており、前記把手挿入層には挿入空間が設けられており、一方の端部が比較的大きく、もう一方の端部には密封部が形成されており、使用時に差込部を入れ間違えるのを防止しており、把手挿入層を溶接する時、中央部分に裂け目が形成され、中央部分を対称軸として、両側部に複数のへの字状に溶接される構造が形成され、もう一端には二本の長条状に溶接される構造が形成され、前記複数のへの字状の溶接構造と二本の長条状の溶接構造によって、モップ本体全体の構造を強化することができ、把手挿入層外周の両側には複数の波状体が形成されており、
前記複数の繊維糸条は、段式の繊維束の繊維材質からなり、溶接によって把手挿入層の下層に固定されており、繊維糸条の段式の繊維束による繊維材質の絡まらない特性を利用して、物品の払拭に便利になっており、
前記払拭底層は、不織布材質であり、溶接後、複数の繊維糸条の下層に固定され、前記払拭底層の両外側縁には複数の波状体が形成されており、
前記把持柄は、把持部と、凹凸溝面とを有しており、一端には凹溝形状貫通孔が設けられており、ハンドモップを吊るすことができ、もう一端には掛止部が形成されており、その前端には二つの掛止柱が形成されており、掛止部の把持部に近い部分には二つの凹溝が設けられており、
前記フォーク形取付け部は、二本の差込部を有しており、その上部には複数の角状凸部が設けられており、フォーク形取付け部のもう一方の端面には前記掛止部に対応する型溝が形成されており、その上部には二つの斜め溝が設けられており、二つの斜め溝の下端には二つの掛止柱に対応する二つの貫通孔が設けられており、型溝のもう一端には二つの凹溝に対応する二つの凸部が設けられており、
前記把持柄と、前記フォーク形取付け部とによって把手が形成されており、二つの差込部をモップ本体に挿入した後、裂け目部分を開くことができ、複数の角状凸部によってモップ本体を掛止し、力が加わることによって面固定され、把持部を把持し、モップ本体を利用して各種物品の清掃を行うことができ、前記凹凸溝面によって、組立時と使用時に手が滑ることがなく、使用上便利であるという目的と、収納に便利であるという目的を達成することができることを特徴とするハンドモップ。
【請求項２】
前記把持柄と、フォーク形取付け部とによって形成されている把手は、使用しない場合、折り曲げることができ、容易に収納ができ、占拠する空間を減少させることができ、    
把手のフォーク形取付け部は、地面と垂直な扁平状であり、モップ本体に挿入する時、モップ本体を自然に９０度折り曲げるのに便利になっており、繊維糸条を完全に接触面から直立させ、繊維糸条を容易に払拭物の奥まで進入させ、埃の除去に便利になっていることを特徴とする請求項１記載のハンドモップ。
【請求項３】
前記フォーク形取付け部の開口部は、前端が小さく、後端が大きくなっており、挿入しやすい形状になっており、
前記把手挿入層は、溶接した後、中央部分を対称軸として、両側部に点状の平面を形成し、切断後、挿入空間を形成するのに便利になっていることを特徴とする請求項１記載のハンドモップ。
【発明の詳細な説明】
【技術分野】
【０００１】
本発明はハンドモップに係り、特に、モップ本体と、把持柄と、フォーク形取付け部とからなる各種物品の埃の除去に適用するハンドモップに関する。
【背景技術】
【０００２】
埃を除去する清掃用品の多くは、雑巾を使用するものであり、清掃作業後その雑巾を洗浄する必要があり、その他、手を汚さないためには手袋を嵌める必要があり、非常に不便であり、そのために、手袋を嵌めなくても清掃ができるハンドモップが必要であり、把手が設けられているような清掃用品が最もよく、モップ本体が汚れた場合、それを捨て、新しい物と取り替えて使用すればよく、それによって便利性と実用性が達成できる。
【０００３】
従って、上述の欠点を如何に解決するかが本発明の発明者が解決したかった技術の困難な部分であった。
【発明の開示】
【発明が解決しようとする課題】
【０００４】
本発明の主な目的は、各種物品の埃の除去に適用するハンドモップを提供することであり、特に、不規則な曲面の払拭に適用し、優れた払拭効果を有しており、使用しない場合、ハンドモップの把手を折り曲げることができ、販売時や使用時における収納に便利で、占拠する空間を減少させることができるハンドモップを提供することである。
【課題を解決するための手段】
【０００５】
前記課題を解決するために、
請求項１の発明は、モップ本体と、把持柄と、フォーク形取付け部とからなる、各種物品の埃の除去に適用するハンドモップにおいて、
前記モップ本体は、把手挿入層と、複数の繊維糸条と、払拭底層とからなり、
前記把手挿入層は、二層の不織布材料を重ね合わせて構成されており、溶接によって固定されており、前記把手挿入層には挿入空間が設けられており、一方の端部が比較的大きく、もう一方の端部には密封部が形成されており、使用時に差込部を入れ間違えるのを防止しており、把手挿入層を溶接する時、中央部分に裂け目が形成され、中央部分を対称軸として、両側部に複数のへの字状に溶接される構造が形成され、もう一端には二本の長条状に溶接される構造が形成され、前記複数のへの字状の溶接構造と二本の長条状の溶接構造によって、モップ本体全体の構造を強化することができ、把手挿入層外周の両側には複数の波状体が形成されており、
前記複数の繊維糸条は、段式の繊維束の繊維材質からなり、溶接によって把手挿入層の下層に固定されており、繊維糸条の段式の繊維束による繊維材質の絡まらない特性を利用して、物品の払拭に便利になっており、
前記払拭底層は、不織布材質であり、溶接後、複数の繊維糸条の下層に固定され、前記払拭底層の両外側縁には複数の波状体が形成されており、
前記把持柄は、把持部と、凹凸溝面とを有しており、一端には凹溝形状貫通孔が設けられており、ハンドモップを吊るすことができ、もう一端には掛止部が形成されており、その前端には二つの掛止柱が形成されており、掛止部の把持部に近い部分には二つの凹溝が設けられており、
前記フォーク形取付け部は、二本の差込部を有しており、その上部には複数の角状凸部が設けられており、フォーク形取付け部のもう一方の端面には前記掛止部に対応する型溝が形成されており、その上部には二つの斜め溝が設けられており、二つの斜め溝の下端には二つの掛止柱に対応する二つの貫通孔が設けられており、型溝のもう一端には二つの凹溝に対応する二つの凸部が設けられており、
前記把持柄と、前記フォーク形取付け部とによって把手が形成されており、二つの差込部をモップ本体に挿入した後、裂け目部分を開くことができ、複数の角状凸部によってモップ本体を掛止し、力が加わることによって面固定され、把持部を把持し、モップ本体を利用して各種物品の清掃を行うことができ、前記凹凸溝面によって、組立時と使用時に手が滑ることがなく、使用上便利であるという目的と、収納に便利であるという目的を達成することができることを特徴とするハンドモップである。
【０００６】
請求項２の発明は、前記把持柄と、フォーク形取付け部とによって形成されている把手は、使用しない場合、折り曲げることができ、容易に収納ができ、占拠する空間を減少させることができ、    
把手のフォーク形取付け部は、地面と垂直な扁平状であり、モップ本体に挿入する時、モップ本体を自然に９０度折り曲げるのに便利になっており、繊維糸条を完全に接触面から直立させ、繊維糸条を容易に払拭物の奥まで進入させ、埃の除去に便利になっていることを特徴とする請求項１記載のハンドモップである。
【０００７】
請求項３の発明は、前記フォーク形取付け部の開口部は、前端が小さく、後端が大きく、挿入しやすい形状になっており、
前記把手挿入層は、溶接した後、中央部分を対称軸として、両側部に点状の平面を形成し、切断後、挿入空間を形成するのに便利になっていることを特徴とする請求項１記載のハンドモップである。
【発明の効果】
【０００８】
優れた払拭効果を有しており、使用しない場合、ハンドモップの把手を折り曲げることができ、販売時や使用時における収納に便利で、占拠する空間を減少させることができるハンドモップを提供することができた。
【発明を実施するための最良の形態】
【０００９】
図５、６、７、８、９に示すように、本発明はハンドモップであり、実施時、把持柄１２と、フォーク形取付け部１９とを組合わせて流線形で実用的な把手２６を形成し、図９に示すように、差込部２０をモップ本体１に挿入した後、複数の角状凸部２１によってモップ本体１に掛止し、力が加わることによって面固定され、把持部１３を把持し、モップ本体１を利用して清掃作業を行うことができ、凹凸溝面１４によって組立時と、使用時に手が滑ることがなく、使用上便利であるという目的と、収納に便利であるという目的を達成することができる。
【００１０】
図８に示すように、前記把持柄１２と、フォーク形取付け部１９とによって形成されている把手２６は、使用しない場合、折り曲げることができ、販売時や使用時における収納に便利で、占拠する空間を減少させるという目的を達成することができる。
【００１１】
本発明の進歩性と実用性をさらに明らかにするために、公知構造との比較を示す。
【００１２】
公知構造の欠点として、
１  公知構造の埃を除去する清掃用品は、多くが雑巾を利用して清掃を行うものであり、清掃作業後、雑巾を洗う必要があり、非常に不便である。
２  手を汚さないためには、手袋をする必要があり、非常に不便である。
３  産業上の競争力に欠ける。
４  進歩性を有さない。
【００１３】
本発明の優れている点として、
１  全体が小型で機能に優れており、実用的であり、使用上非常に便利であるという目的を達成できる。
２  使用しない場合、折り曲げることができ、販売時や使用時における収納に便利で、占拠する空間を減少させるという目的を達成することができる。
３  手袋をする必要がなく、把手を把持して使用すればよい。
４  産業上の競争力を有する。
５  進歩性を有する。
【００１４】
本発明は公知の技術構造を大きく躍進させ、確実にその目的を達成するものであり、本技術に熟知しないものでも容易に考えの及ぶことであり、本発明は未だ公開されておらず、進歩性、実用性を有しており、特許の申請要件に符合するものであり、法に基づいて特許申請を行う。
【図面の簡単な説明】
【００１５】
【図１】本発明によるモップ本体の分解図である。
【図２】本発明によるモップ本体の斜視図である。
【図３】本発明によるモップ本体の側視図である。
【図４】モップ本体に把手を挿入する前の様子を示す斜視図である。
【図５】モップ本体に把手を挿入する様子を示す斜視図である。
【図６】本発明による把手の斜視図、および局部断面図である。
【図７】本発明による把手の斜視分解図、および局部拡大図である。
【図８】本発明による把手を折り曲げた様子を示す斜視図である。
【図９】モップ本体に把手を挿入した様子を示す斜視図である。
【符号の説明】
【００１６】
１      モップ本体
２      把手挿入層
３      挿入空間
４      密封部
５      裂け目
７      波状体
８      繊維糸条
９      払拭底層
１１    波状体
１２    把持柄
１３    把持部
１４    凹凸溝面
１５    凹溝形状貫通孔
１６    掛止部
１７    掛止柱
１８    凹溝
１９    フォーク形取付け部
２０    差込部
２１    角状凸部
２２    型溝
２３    斜め溝
２４    貫通孔
２５    凸部
２６    把手
【図１】
2005161051.tif 000003
【図２】
2005161051.tif 000004
【図３】
2005161051.tif 000005
【図４】
2005161051.tif 000006
【図５】
2005161051.tif 000007
【図６】
2005161051.tif 000008
【図７】
2005161051.tif 000009
【図８】
2005161051.tif 000010
【図９】
2005161051.tif 000011